(57)【要約】物体を付着させるための接着マット（１）が開示される。接着マット（１）は、平滑表面への剥離可能な接着のために設計された平滑表面接着層（２）を備えている。円滑または金属表面を有する物体を、迅速、便利、かつコスト効率的に付着させることが可能であるように、接着マット（１）は、追加の接着層（３）を有し、追加の接着層（３）は、平面様式で平滑表面接着層（２）に接続されており、織布または磁化可能な表面上に剥離可能な付着効果を提供する。
2014503755.tif 000002
【特許請求の範囲】
【請求項１】
物体を平滑表面接着層（２）と添着および付着させるための接着マット（１）であって、前記接着マットは、前記平滑表面への剥離可能な接着のために設計され、追加の接着層（３）が、その全面積にわたり前記平滑表面接着層（２）と結合され、織布構造または磁化可能な表面上に剥離可能な接着効果を提供することを特徴とする、接着マット（１）。
【請求項２】
前記平滑表面接着層（２）は、弾性発泡プラスチックから成ることを特徴とする、請求項１に記載の接着マット（１）。
【請求項３】
前記平滑表面接着層（２）は、ポリウレタンから成ることを特徴とする、請求項１または請求項２に記載の接着マット（１）。
【請求項４】
前記平滑表面接着層（２）は、前記追加の接着層（３）から反転された表面上に、接着層を有することを特徴とする、請求項１〜請求項３のうちの一項に記載の接着マット（１）。
【請求項５】
前記追加の接着層（３）は、磁性であり、磁化可能な表面に接着することを特徴とする、請求項１〜請求項４のうちの一項に記載の接着マット（１）。
【請求項６】
前記追加の接着層は、フックおよびループ層（３）であり、織布表面に接着することを特徴とする、請求項１から請求項４のうちの一項に記載の接着マット（１）。
【請求項７】
厚さが０．５から５ｃｍの間であり、幅が３から２０ｃｍの間であり、長さが５から３０ｃｍの間であることを特徴とする、請求項１〜請求項６のうちの一項に記載の接着マット（１）。
【請求項８】
前記平滑表面接着層（２）は、一体成形の追加の接着層（３）に結合されている少なくとも２つの平滑表面接着部分（６、７）を備えていることを特徴とする、請求項１〜請求項７のうちの一項に記載の接着マット（１）。
【請求項９】
平滑接合間隙（８）が、前記２つの平滑表面接着層（６、７）の間に配置されていることを特徴とする、請求項８に記載の接着マット（１）。
【請求項１０】
前記接着マット（１）を折り畳み状態に固定するために好適な係止システム（９、１０）によって、前記平滑表面接着層区画（６、７）は、前記追加の接着層（３）から反転された表面で互に面することを特徴とする、請求項８または請求項９に記載の接着マット（１）。
【請求項１１】
作業クッション（１２）で、平滑表面を伴う物体を保持および位置付けるためのデバイス（１１）であって、前記作業クッションは、その表面上に織布構造（１３）を具備し、請求項１〜請求項１０のうちの一項に記載の接着マット（１）が、前記織布構造（１２）に剥離可能に接着することを特徴とする、デバイス（１１）。
【請求項１２】
前記作業クッション（１２）は、くさびの形状を有することを特徴とする、請求項１１に記載のデバイス（１１）。
【請求項１３】
前記作業クッション（１２）は、前記物体を保持するためのポケットを有することを特徴とする、目的１１または請求項１２に記載のデバイス（１１）。
【発明の詳細な説明】
【技術分野】
【０００１】
本発明は、平滑表面に剥離可能に接着するように設計される、平滑表面層を備える、物体を付着させるための接着マットに関する。
【０００２】
本発明はさらに、その表面上に布地表面構造を提供する作業クッションによる、全て平滑表面を伴う物体の固定および整列のためのデバイスに関する。
【背景技術】
【０００３】
上述に説明される接着マットは、例えば、第ＤＥ２０２００８００５５５２Ｕ１号の開示から公知である。本明細書で開示される接着マットは、ポリウレタンから作られる一体成形の発泡層から成る。発泡体を平滑表面の上に圧接することによって、接着効果は、達成される。携帯電話、眼鏡、たばこ入れ、および同等物等、平滑表面を伴う物体が、本質的に、車両のボードダッシュボード等の平滑表面に添着されることができるように、接着効果は、接着マットの両表面において達成される。公知の接着マットの接着効果は、もっぱら、平滑表面間に提供される。
【０００４】
第ＤＥ２０３０２０００４８９７Ｕ１号は、コンピュータ、ノートブック、タブレットパソコン、および同等物を保持、支持、および配列するために、くさび形状で具現化される特定の作業クッションを開示する。この目的のために、形状固定支持としての役割を果たすための作業クッション上で具現化されるフックおよびループファスナーテープがあり、その上に、例えば、ラップトップが所望の角度に固定され得る。しかしながら、本形状固定支持デバイスは、分厚く、付着手段の追加の締結を用いることによってのみ、十分な付着特性を提供することができるに過ぎない。
【０００５】
文書第ＤＥ２０２００９０１６４８０Ｕ１号はまた、前述の不利点をもたらす、形状迅速調整を備える作業クッションを開示する。
【０００６】
さらにノートブックおよび類似物体のための保定デバイスが、文書ＧＢ７７２３００において開示される。
【発明の概要】
【発明が解決しようとする課題】
【０００７】
本発明の主題は、接着マットの提供、および平滑表面を伴う物体の迅速、便利、かつ同時に、コスト効率的付着を提供するために、前述の特性をデバイスに提供することである。
【課題を解決するための手段】
【０００８】
序文で言及された接着マットに基づいて、本発明は、そのような追加の接着層に、布地表面組成物に剥離可能に接着するための能力を提供することによって、問題を解決する。
【０００９】
本発明によると、平滑表面によって特徴付けられる種々の物体が、それによって布地表面構造または磁化可能な表面に剥離可能に付着されることができる接着マットが提供され、物体は十分な付着強度を伴うこれらと締結されることができる。この目的のために、追加の接着層を伴う本発明に開示される接着マットは、布地表面または磁化可能な表面上に設置されるだけである。同様に、これは、平滑表面接着表面層がその接着特性を及ぼす場所の平滑表面に適用される。本発明の範囲内にあるのは、したがって、２つの異なる層から成る、平滑表面接着力層を含む、２つの層を伴う接着マットの特徴であって、２つの層、すなわち、平滑表面接着層および追加の接着層は、粘着によって、または同様に、他の接続または結合方法によって、接続される。好ましい実施形態によると、平滑表面接着層および追加の接着層は、密封によって結合される。
【００１０】
便利のために、平滑表面接着層ならびに追加の接着層は、湾曲されることができる。特に、平滑表面接着力層は、好ましくは、弾性的であり、可逆的に再形成され得る。
【００１１】
平滑表面接着層の設計は、平滑表面が保持される物体に対して剥離可能な接着特性を有する限り、原則として、可変である。
【００１２】
本発明の好ましい設計によると、平滑表面接着層は、弾性発泡体材料から構成される。発泡体材料は、細孔が表面に対して開放し、圧力が層上にかかる場合、真空が作り出されるように設計される。押し付けは、発泡体材料を圧縮し、該細孔の体積を減少させ、大気が細孔から押し出されるであろう。その弾性のため、発泡体材料は、圧縮後、その原形に戻り、細孔を拡大させるであろう。しかしながら、発泡体材料は、直接接触して平滑表面によって密封されるため、大気は、拡大する開細孔内に逆流することはできない。これは、開細孔内の周囲大気に対する負圧をもたらし、所望の剥離可能な接着効果を作り出す。
【００１３】
便利のために、平滑表面接着層は、ポリウレタンから構成される。ポリウレタンおよび特にポリウレタン発泡体は、特に、都合の良い接着剤材料であると見出されている。ポリウレタン接着マットは、市場において利用可能である。
【００１４】
前述と異なる本発明の変形例によると、平滑表面接着層は、接着層を追加の接着層の裏面に有する。この接着層は、繰り返して、接着して平滑表面に付着され得る特性を有する。
【００１５】
本発明のある変形例では、追加の接着層は、磁性であって、磁化可能な表面に付着するのに好適である。磁性プラスチック等、可撓性磁性材料は、当業者に公知であるため、これ以上議論する必要はない。
【００１６】
しかしながら、本発明の好ましい変形例によると、追加の接着層は、フックおよびループ層である。フックおよびループ層は、織布物体表面に接着効果を有する。
【００１７】
本発明の好ましい実施形態によると、フックおよびループ層は、フックまたはキノコの形状において、平滑表面接着層から反転された端部を有する繊維または突出を形成する。接着マットが、織布物体表面に設置される場合、繊維または突出は、自由端によって、織布物体の繊維、糸、またはメッシュ内に掛止するであろう、それによって機械的締結を作り出す。
【００１８】
接着マットが厚さ０．３ｃｍから２ｃｍ、幅３ｃｍから２０ｃｍ、ならびに長さ５ｃｍから３０ｃｍを有する場合、有利である。該寸法は、十分な接着効果を提供するのに特に好都合であり、一方、例えば、自動車において使用するのに十分に小さいことが見出されている。
【００１９】
本発明の１つの変形例によると、平滑表面接着層は、一体成形の追加の接着層によって接続される、少なくとも２つの平滑表面接着層部分を備える。追加の接着層は、便利のために、接着裏面、および、接着裏面上に固定されるフックまたはキノコの形状の自由端を伴うフックおよびループ繊維、または突出を有する。裏面、すなわち、繊維または突出から反転される面には、接着裏面が、２つの平滑表面区画によって、追加の接着層と結合される。このように接着マットは、平滑表面接着区画が、互に面し、それによって、外部汚れから保護されるように、一緒に折り畳まれることができる。
【００２０】
平滑表面接着区画が互に面する折り畳まれた位置に、本発明による接着マットを固定するための係止手段を提供することは、有利である。係止手段は、例えば、運搬中、折り畳まれた接着マットの非意図的開放を防止する。
【００２１】
物体を固定および位置付けるための本発明によるデバイスは、本発明による接着マットを備え、接着マットは、フックおよびループ層を具備する。接着マットは、接着マットと作業クッションとの間に固体の剥離可能な機械的接続が提供されるように、作業クッションの織布物体上に、そのフックおよびループ層によって設置される。
【００２２】
保持される物体の平滑表面は、平滑表面を伴う物体が、十分に迅速な様式において、作業クッションに付着されるように、接着効果を含む接着マットの平滑表面接着層上に押し付けられることができる。
【００２３】
織布物体が、作業クッションの片側上または作業クッション全体の円周周囲のいずれかに、フックおよびループテープとして具現化される場合、特に有利である。作業クッションのフックおよびループテープは、接着マットのフックおよびループ部分に対して相補的フック媒体である、メッシュ、小穴または類似デバイスを提供し、それによって、特に、迅速機械的相互係止システムが、クッション上のフックおよびループテープと、接着マット上のフックおよびループ層との間に、提供される。
【００２４】
上述で説明されるシステムにおいて、例えば、ポータブルコンピュータ、タブレットパソコン、電子ブック、または同等物等、電子デバイスは、横になった場合、好都合に設置され、閲覧および視聴されることができる。
【００２５】
便利のために、作業クッションは、くさび状に形成され、つまり、片側から三角形の断面を有する。くさび形状の作業クッションは、特に、使いやすいことが見出されている。加えて、作業クッションが、固定される物体を保管するためのポケットを備えられることは、有益である。
【図面の簡単な説明】
【００２６】
さらに、本発明の好適な実施形態および利点は、図面の図に関する、本発明のための実装実施例の以下の説明の主題であり、同じ参照は、同一機能を伴う構成要素に関する。
【図１】図１は、側面図における、本発明による、接着マットの実装実施例である。
【図２】図２は、斜視図における、図１による、接着マットである。
【図３】図３は、拡大断面図における、図１による、接着マットである。
【図４】図４は、側面図における、発明による接着マットの別の実装実施例である。
【図５】図５は、側面図における、本発明による接着マットのさらなる実装実施例である。
【図６】図６は、上面図における、図５による接着マットである。
【図７】図７は、本発明による、デバイスの実装実施例である。
【発明を実施するための形態】
【００２７】
図１は、概略側面図における、本発明による、接着マット１の実装実施例を示す。接着マット１が、平滑表面接着層２と、フックおよびループ層３とから成ることは、明白である。平滑表面接着層は、ポリウレタン発泡体から成る。ノートブック、ネットブック、タブレットパソコン、電子ブック、または同等物の底面等、平滑表面が、平滑表面接着層２の上に手動で押し付けられると、接着力効果が誘発される。この目的のために、平滑表面接着層２は、該表面に対して、手動で押し付けられる。押し付けられている間、ポリウレタンは変形され、それによって、付着されるデバイスの平滑表面に面する、ポリウレタン発泡体内の開細孔は、圧縮される。ポリウレタン発泡体は、非常に弾性的かつ可撓性の様式において具現化される。押し付け後、発泡体は、その原形に戻る。この時点で、発泡体は、平滑表面に面する開細孔内において、負圧が周囲大気に対して作り出されるように、平滑表面と直接密閉接触する。この圧力の差異により、例えば、タブレットパソコンの底部側に対して、平滑表面接着層の吸引接着力が存在する。
【００２８】
しかしながら、フックおよびループ層３は、付着および固定される物体、例えば、タブレットパソコンが、簡単かつ剥離可能に自動車のシートに付着されることができるように、織布表面、例えば、自動車のシートカバー上にその接着力を生じさせる。
【００２９】
図２は、特に、接着マット１の都合の良い寸法を明白にする、斜視図における、図１による、接着マット１を示す。上面図で見られる場合、接着マット１は、曲線的な角を伴う、長方形形状を有する。接着マット１は、特に、携帯電話または同様のものが、その表面全体上で保持されるように、細長い形状を有する。しかしながら、図２に示される寸法は、単なる実施例である。原則として、全ての設計実装が、本発明によって可能である。
【００３０】
図３は、特に、フックおよびループ層３の実施形態を明白にする、拡大断面図における、本発明による、接着マット１を示す。フックおよびループ層３は、単純フックとして図式的にのみ図３で示される、押出しの単一フック、複数のフック、あるいはキノコ形状突出または繊維５を備えられた接着裏面４を有する。接着裏面４は、平滑表面接着層２にしっかりと粘着され、それによって、しっかりした複合材材料を提供する。フックおよびループ層３はまた、フック部分、またはフックおよびループ相互係止システムのフック区画のいずれかであると考えられ得る。織布表面は、従って、フックおよびループ相互係止システムの相補的部品であり、すなわち、繊維または糸によって作り出されたループまたはスリングを提供することによる、フックに対する対合部品である。しかしながら、織布物体もまた、不織布であり得る。この場合、繊維または突出５は、不織布の繊維または糸内に掛止するであろう。
【００３１】
図４は、本発明による、接着マット１の実施形態のさらなる実施例を示す。平滑表面接着層２が、２つの平滑表面接着層６および７から成ることは明白であり、完全に全範囲にわたり、図式的にのみ示される、フックおよびループ層３の接着裏面４にしっかりと添着される。それによって、平滑表面接着層区画６と７の間には、折り畳み間隙が、作り出される。平滑表面接着層６および７が、フックおよびループ層３から、反転された側で互に面するように一緒に折り畳まれるような様式において、折り畳み間隙は、接着マット１の容易な折り畳みを促進する。このようにして、接着マット１は、容易に運搬されることができ、平滑表面の接着効果を減少させ得る、平滑表面接着層２も汚れの危険性もない。
【００３２】
図５は、本発明による、接着マット１の実施形態のさらなる実施例を示し、平滑表面接着層６および７は、接着裏面４の折り畳み間隙８が、平滑表面接着層６および７の表面に対して拡大されるように、相互に面する縁の面取りがされる。この拡大は、接着マット１の折り畳みをより容易にする。加えて、各平滑表面接着層６および７は、それぞれ、機械的係止システムの部品９、１０を備えられている。これは、例えば、フックおよびループ係止システムのフック区画９およびループ区画１０でもあり得る。
【００３３】
図６は、その中で機械的係止システムのフック区画９およびループ区画１０が、より明白である、上面図における、図５による、実施形態実施例を示す。機械的係止システム９、１０は、折り畳まれた閉鎖位置で、平滑表面接着層６および７を固定する役割を果たす。
【００３４】
図７は、織布構造１３を有する作業クッション１２と接着マット１とを伴う、本発明による、デバイス１１の実施形態実施例を示す。本実施例では、接着マット１は、全面積にわたってしっかりと結合される、一体成形の平滑表面接着層２と、フックおよびループ層３とを有する。
【００３５】
示される実施例では、作業クッション１２は、革または合成皮革から作られるカバーを備えられ、リボンの形状の織布構造１３は、該クッションの中央において、作業クッション１２の周囲に延設されている。図７で示される本発明によるデバイスの実施形態実施例では、接着マット１のフックおよびループ層３と作業クッション１２のリボン形状織布構造１３とは、フックおよびループ係止システムの相補的部品である。したがって、リボン形状織布構造１３は、より詳細に前述で説明されるループ部品として機能する。フックおよびループ層３は、形状相補的フック部品として機能する。このようにして、接着マット１と作業クッション１２との間の、しっかりした剥離可能な機械的付着が、達成され、それによって、平滑表面接着層２が提供され、作業クッション１２にしっかりと付着される。
【００３６】
平滑表面接着層２は、次に、例えば、作業クッション１２に対して、いわゆるタブレットパソコン、ノートブック、電子ブックおよび同等物等、平滑表面を伴う物体をしっかりと付着するために使用されることができる。このように、該物体の便利な位置付け、保管、および固定が、可能である。これは、それぞれのデバイスの取扱および動作を簡単にするであろう。
【００３７】
本発明によるデバイスは、全体的に可撓性であって、形状固定または剛体区画、エリア等を含まない。付着物体に対するいかなる損害も、したがって、確実に防止される。便利のために、作業クッションは、発泡体またはポリスチレンボールで充填される。
【図１】
2014503755.tif 000003
【図２】
2014503755.tif 000004
【図３】
2014503755.tif 000005
【図４】
2014503755.tif 000006
【図５】
2014503755.tif 000007
【図６】
2014503755.tif 000008
【図７】
2014503755.tif 000009
【国際調査報告】
2014503755.tif 000010
2014503755.tif 000011
2014503755.tif 000012
2014503755.tif 000013
2014503755.tif 000014
2014503755.tif 000015